(57)【要約】【課題】画像データを所定の条件の元で削除することができる管理プログラムの提供。【解決手段】記録媒体に記録された複数の画像データを、記録媒体単位又は画像データの種別（オリジナル画像データや縮小画像データなど）単位で、ハードディスクなどの記録手段に保存、管理する管理プログラムにおいて、コンピュータを、記録媒体単位又は種別単位での画像データの削除を許可し、個々の画像データの削除を禁止する手段、又は、個々の画像データの削除に際して、削除に関する履歴情報（画像データのファイル名やパス名、削除日時など）を保存する手段として機能させるものであり、個々の画像データの削除を禁止又は個々の画像データの削除を許可する場合でも履歴情報を保存することにより、どの画像データが保存、管理されているかが不明確になることがなく、画像データを確実に保存、管理することができる。【選択図】図９
2005328122.tif 000002
【特許請求の範囲】
【請求項１】
記録媒体に記録された複数の画像データを、前記記録媒体単位又は前記記録媒体における前記画像データの種別単位で、特定の記録手段に保存、管理する管理プログラムにおいて、
コンピュータを、
前記記録媒体単位又は前記記録媒体における前記種別単位での前記画像データの削除を許可し、個々の前記画像データの削除を禁止する手段として機能させることを特徴とする管理プログラム。
【請求項２】
記録媒体に記録された複数の画像データを、前記記録媒体単位又は前記記録媒体における前記画像データの種別単位で、特定の記録手段に保存、管理する管理プログラムにおいて、
コンピュータを、
前記画像データに基づく画像を前記記録媒体単位又は前記記録媒体における前記種別単位で分類して表示手段に表示させ、削除指示に対して、選択された前記記録媒体又は前記記録媒体における前記種別に対応する全ての前記画像データを削除する手段として機能させることを特徴とする管理プログラム。
【請求項３】
前記手段は、
前記表示手段に前記記録媒体単位で分類された画像が表示されている場合に、
前記削除指示に対して、削除する前記画像データの前記種別を選択させる画面を表示手段に表示させ、選択された前記種別に対応する全ての前記画像データを削除する手段として機能させることを特徴とする請求項２記載の管理プログラム。
【請求項４】
複数の前記種別の内、一の種別の前記画像データのみが削除された場合に、表示手段に他の種別の前記画像データに基づく画像を表示させると共に、該画像近傍に前記一の種別の前記画像データが削除されたことを示す情報を表示させることを特徴とする請求項３記載の管理プログラム。
【請求項５】
前記画像データは、予め定められたルールに従って生成された名称のフォルダに、前記記録媒体単位又は前記種別単位で格納され、前記削除指示に対して、前記フォルダ単位で削除が実行されることを特徴とする請求項１乃至４のいずれか一に記載の管理プログラム。
【請求項６】
記録媒体に記録された複数の画像データを、前記記録媒体単位又は前記記録媒体における前記画像データの種別単位で、特定の記録手段に保存、管理する管理プログラムにおいて、
コンピュータを、
個々の前記画像データの削除に際して、削除に関する履歴情報を保存する手段として機能させることを特徴とする管理プログラム。
【請求項７】
前記手段は、
前記画像データを前記記録媒体単位又は前記記録媒体における前記種別単位で分類して表示手段に表示させ、かつ、削除された前記画像データに基づく画像が表示されていた枠に、前記画像データが削除されたことを示す情報を表示することを特徴とする請求項６記載の管理プログラム。
【請求項８】
前記履歴情報は、削除された画像データを特定する情報、前記画像データが記録されていた記録場所を特定する情報、又は削除の日時を特定する情報を含むことを特徴とする請求項６又は７に記載の管理プログラム。
【発明の詳細な説明】
【技術分野】
【０００１】
本発明は、記録媒体に記録された画像データを保存、管理するための管理プログラムに関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った画像データをＤＶＤプレーヤやＤＶＤレコーダ、ＨＤＤレコーダ、ゲーム機などの画像再生機器で再生可能なファイル形式の画像データに変換し、元の画像データと変換した画像データとをＣＤ−Ｒ、ＤＶＤ−Ｒなどの記録媒体に書き込むサービスも行われている。
【０００５】
【特許文献１】特開平５−１８２３７３号公報（第４−６頁、第３図）
【発明の開示】
【発明が解決しようとする課題】
【０００６】
上記サービスを利用することにより、デジタルカメラやメディア等に記録された画像データや画像再生機器用に変換された画像データなどが記録された記録媒体を入手することができ、更に複数の記録媒体に記録された画像データをコンピュータ機器のハードディスクなどにバックアップすることにより、画像データをいわゆる電子アルバムとして一括して保存、管理することができる。この電子アルバムの画像データは本来、削除されることなく保存、管理されることが望ましいが、高解像度の画像データはデータサイズが大きく、このような画像データを多数保存するとハードディスクの容量が足りなくなる等の弊害もあるため、画像データを削除する必要が生じる場合もある。
【０００７】
そのような場合に、バックアップされている画像データを任意に削除可能とすると、どの画像データが削除されたのかが分からなくなってしまうために、電子アルバムとして保存、管理されている画像データが不明確になってしまう。また、削除の際には不要と判断した画像データであっても後に閲覧したくなる場合もあり、その場合もどの画像データが削除されたのかが分からなければ、その画像データを復元することも困難になる。
【０００８】
一方、画像データにはデータサイズの大きいオリジナルの画像データもあれば、オリジナルの画像データのデータサイズを縮小したサムネイル画像データやスクリーンネイル画像データなどの縮小画像データもあり、通常、ハードディスクにはその双方がバックアップされるが、例えば、ホームサーバやｗｅｂサーバなどの他の記録手段にも画像データがバックアップされている場合などでは、ハードディスクには画像を画面上で表示させるための縮小画像データのみがバックアップされていれば十分であり、このような場合には一定の条件で画像データを削除できるようにした方が使い勝手がよい。
【０００９】
このように、画像データなどの電子データは簡単に削除ができるため、無制限に削除を可能とすると大切な画像データを保存、管理する電子アルバムとしての用を足さなくなってしまい、一方、一切の削除を不可能とすると記録手段に負荷をかけてしまうことから、画像データの保存、管理に際しては、画像データの削除や改変に一定の制限を加えることが重要である。
【００１０】
また、このような問題は、写真画像に基づく静止画像データに限らず、デジタルムービーカメラなどで撮影して得られた動画データやインターネットなどを介して取得した音楽データ、コンテンツデータなどにおいても同様に生じる。
【００１１】
本発明は、上記問題点に鑑みてなされたものであって、その主たる目的は、画像データを所定の条件の元で削除することができる管理プログラムを提供することにある。
【課題を解決するための手段】
【００１２】
上記目的を達成するため、本発明の管理プログラムは、記録媒体に記録された複数の画像データを、前記記録媒体単位又は前記記録媒体における前記画像データの種別単位で、特定の記録手段に保存、管理する管理プログラムにおいて、コンピュータを、前記記録媒体単位又は前記記録媒体における前記種別単位での前記画像データの削除を許可し、個々の前記画像データの削除を禁止する手段として機能させるものである。
【００１３】
また、本発明の管理プログラムは、記録媒体に記録された複数の画像データを、前記記録媒体単位又は前記記録媒体における前記画像データの種別単位で、特定の記録手段に保存、管理する管理プログラムにおいて、コンピュータを、前記画像データに基づく画像を前記記録媒体単位又は前記記録媒体における前記種別単位で分類して表示手段に表示させ、削除指示に対して、選択された前記記録媒体又は前記記録媒体における前記種別に対応する全ての前記画像データを削除する手段として機能させるものである。
【００１４】
本発明においては、前記手段は、前記表示手段に前記記録媒体単位で分類された画像が表示されている場合に、前記削除指示に対して、削除する前記画像データの前記種別を選択させる画面を表示手段に表示させ、選択された前記種別に対応する全ての前記画像データを削除する手段として機能させる構成とすることができる。
【００１５】
また、本発明においては、複数の前記種別の内、一の種別の前記画像データのみが削除された場合に、表示手段に他の種別の前記画像データに基づく画像を表示させると共に、該画像近傍に前記一の種別の前記画像データが削除されたことを示す情報を表示させる構成とすることもできる。
【００１６】
また、本発明においては、前記画像データは、予め定められたルールに従って生成された名称のフォルダに、前記記録媒体単位又は前記種別単位で格納され、前記削除指示に対して、前記フォルダ単位で削除が実行される構成とすることもできる。
【００１７】
また、本発明の管理プログラムは、記録媒体に記録された複数の画像データを、前記記録媒体単位又は前記記録媒体における前記画像データの種別単位で、特定の記録手段に保存、管理する管理プログラムにおいて、コンピュータを、個々の前記画像データの削除に際して、削除に関する履歴情報を保存する手段として機能させるものである。
【００１８】
本発明においては、前記手段は、前記画像データを前記記録媒体単位又は前記記録媒体における前記種別単位で分類して表示手段に表示させ、かつ、削除された前記画像データに基づく画像が表示されていた枠に、前記画像データが削除されたことを示す情報を表示する構成とすることができ、前記履歴情報は、削除された画像データを特定する情報、前記画像データが記録されていた記録場所を特定する情報、又は削除の日時を特定する情報を含むことが好ましい。
【００１９】
このように、本発明の構成によれば、管理プログラムにより、画像データは記録媒体単位又は種別単位で保存、管理され、画像データの削除に際して、記録媒体単位又は種別単位での画像データの削除は許可され、個々の画像データの削除が禁止されるため、どの画像データが保存、管理されているかが不明確になることがなく、画像データを確実に保存、管理することができる。また、個々の画像データの削除を許可する場合には、削除の履歴情報が保存されるため、同様にどの画像データが保存、管理されているかが不明確になることがなく、画像データを確実に保存、管理することができる。
【発明の効果】
【００２０】
本発明の管理プログラムによれば、画像データを電子アルバムとして確実に保存、管理することができる。
【００２１】
その理由は、管理プログラムにより複数の画像データは記録媒体単位又は種別単位（オリジナルの画像データやサムネイル画像データ、スクリーンネイル画像データなど）で保存、管理されており、記録媒体単位又は種別単位での画像データの削除は許可され、個々の画像データの削除は禁止されるため、どの画像データが保存、管理されているかが不明確になることがないからである。また、個々の画像データの削除を許可する場合であっても、削除された画像データを特定する情報や画像データが記録されていた記録場所を特定する情報、削除の日時情報などの削除に関する履歴情報が保存されるため、部分的に画像データが削除された場合であっても、どの画像データが保存、管理されているかが不明確になることがないからである。
【発明を実施するための最良の形態】
【００２２】
本発明に係る管理プログラムは、その好ましい一実施の形態において、記録媒体に記録された複数の画像データを、記録媒体単位又は画像データの種別（オリジナル画像データや縮小画像データなど）単位で、ハードディスクなどの記録手段に保存、管理する管理プログラムにおいて、コンピュータを、記録媒体単位又は種別単位での画像データの削除を許可し、個々の画像データの削除を禁止する手段、又は、個々の画像データの削除に際して、削除に関する履歴情報（画像データのファイル名や画像データが記録されていた記録場所を特定する情報、削除日時など）を保存する手段として機能させるものであり、個々の画像データの削除を禁止又は個々の画像データの削除を許可する場合でも履歴情報を保存することにより、どの画像データが保存、管理されているかが不明確になることがなく、画像データを確実に保存、管理することができる。
【実施例１】
【００２３】
上記実施形態について詳細に説明すべく、本発明の第１の実施例に係る管理プログラムについて、図１乃至図１８を参照して説明する。図１は、本発明の第１の実施例に係る記録装置及びデータ管理装置の構成を模式的に示す図である。また、図２乃至図５は、データ管理装置の他の構成を模式的に示す図であり、図６は、データ管理装置の手段を示すブロック図である。また、図７は、記録装置を用いた記録媒体の作成手順を示すフローチャート図であり、図８は、データ管理装置を用いた画像データの保存手順を示すフローチャート図であり、図９は、データ管理装置を用いた画像データの削除手順を示すフローチャート図である。また、図１０乃至図１３は、データの記録構造を示す図、図１４は、記録媒体におけるデータの記録領域を示す図、図１５は記録媒体（ＣＤ−Ｒ）の構造を模式的に示す図である。また、図１６乃至図１８は、データ管理装置の表示手段に表示される画面構成例を示す図である。
【００２４】
図１に示すように、本実施例のシステムは、記録媒体９を作成する記録装置１と、該記録媒体９に記録された画像データを保存、管理し、また、削除するデータ管理装置１０とからなり、記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１５を介してサーバ１６から画像データなどをダウンロードするネットワーク接続部等の入力制御手段と、メディア８やデジタルカメラ７から読み取った、又はサーバ１６からダウンロードした画像データやＤＶＤプレーヤやＤＶＤレコーダ、ＨＤＤレコーダ、ゲーム機などで再生可能な形式に変換された画像データなどが記録されるＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。
【００２５】
また、データ管理装置１０は、少なくとも、記録媒体９を装填する記録媒体装填部１４と画像データを保存する記録手段（内部のハードディスク１１としてもよいし、外付けされたハードディスクやデータ管理装置１０にネットワーク接続されたホームサーバやｗｅｂサーバなどとしてもよい。）とを備えている。このデータ管理装置１０の手段をブロック図で示すと図６に示すようになる。すなわち、記録媒体装填部１４に装填された記録媒体９から画像データや識別情報を読み取る入力制御手段１７と、ハードディスク１１などの記録手段に画像データを記録したり、記録手段から画像データを削除する記録／削除制御手段１８と、所定の単位（記録媒体９単位又は画像データの種別単位）で画像データが分類され、所定の単位の画像データの削除を指示するボタンを備えた画面を表示するモニタ等の表示手段１２と、キーボード、マウス等の操作手段１３とを備えている。
【００２６】
なお、上記各手段はデータ管理装置１０にハードウェアとして構成されていてもよいし、コンピュータを、少なくとも、記録／削除制御手段１８として機能させる管理プログラムとして構成し、該管理プログラムをデータ管理装置１０にインストールして実行する構成としてもよい。また、図１ではデータ管理装置１０としてパーソナルコンピュータを用いる場合を示しているが、データ管理装置１０の形態も任意であり、例えば、図２に示すように専用のセットトップボックスとしたり、図３に示すようにポータブルライターとしたり、図４に示すように演算処理手段を備えるＨＤＤレコーダやＤＶＤレコーダ、ゲーム機としたり、図５に示すように、演算処理手段を備えるカーナビゲーション装置などとすることもできる。
【００２７】
以下、データ管理装置１０を用いて画像データを削除する手順について説明するが、その前に、発明の理解を容易にするために、記録装置１を用いて記録媒体９を作成する手順及び記録媒体９に記録された画像データをデータ管理装置１０に保存する手順について説明する。まず、上記構成の記録装置１を用いて記録媒体９を作成する手順について、図７のフローチャート図を参照して説明する。
【００２８】
まず、ステップＳ１０１で、記録装置１のメディア装填部２にメディア８を装填、又は、機器接続部３にデジタルカメラ７やカメラ付き携帯電話機７ａを接続、又はネットワーク接続部を通信ネットワーク１５に接続すると共に、記録媒体装填部４に記録媒体９を装填する。なお、記録媒体９はデータが記録されていないものを用いてもよいし、管理プログラムやスライドショープログラムなどの他のプログラム、音楽データなどが予め記録された記録媒体をユーザが購入する構成としてもよい。次に、ステップＳ１０２で、デジタルカメラ７やメディア８に記録された画像データ（静止画像データや動画データ、画像情報を含むデータなどを総称して画像データと呼ぶ。）やサーバ１６に記録された画像データを読み取り、必要に応じて、表示部５や操作部６を用いて記録媒体９に記録する画像データを選択する。
【００２９】
次に、ステップＳ１０３で、必要に応じて、画像データを音楽付きスライドショーとして再生するためのＢＧＭとして利用する音楽データをメディア８やサーバ１６、記録装置１の記憶手段などから読み取る。この音楽データはユーザが選択してもよいし、予めデフォルトとして設定された音楽データを用いてもよい。
【００３０】
次に、ステップＳ１０４で、必要に応じて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３１】
次に、ステップＳ１０５で、必要に応じて、読み取った画像データをＤＶＤプレーヤやＤＶＤレコーダ、ＨＤＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３２】
次に、入力された画像データや作成された縮小画像データ、変換された動画データを記録媒体９に記録するが、その際、任意の記録媒体９に対してデータの記録ができるようにしてもよいし、正規に作成された記録媒体９に対してのみデータの記録を許可するようにしてもよい。後者の場合は、例えば、ステップＳ１０６で、記憶手段に予め記憶された位置情報（例えば、物理アドレス）を参照して、該位置に予め特定の識別情報が書き込まれているか否かを判断し、識別情報が書き込まれている場合にのみデータの記録を開始する構成とすることができる。
【００３３】
その場合、上記識別情報は不正なデータの記録を防止するために設けるものであるため、識別情報の記録場所や中身が容易に知られてしまうと識別情報自体もコピーされてしまい、不正なデータの記録を防止することができなくなってしまうため、識別情報の少なくとも一部はコンピュータのＯＳではアクセスできない領域（すなわち、論理アドレス領域外）、具体的にはディスク型記録媒体の論理アドレス領域の内側の領域に書き込まれていることが好ましい。
【００３４】
ここで、一般的な記録媒体９の構造について、図１５を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込み、読み出しを確実に行うためにはＣＤ-Ｒがどのような色素を用いて製作されているかをドライブ側が認識する必要がある。そこで、ＣＤ−Ｒに用いる色素の種別やＣＤ-Ｒを製作するメーカの名称などの情報を記録媒体９の製造段階でその最内周に書き込み、その情報をドライブのファームウェアが読み取り、ファームウェアが独自にレーザヘッドを制御してレーザパワーの調整を行っている。このようにディスクの最内周の領域はＣＤ-Ｒの素性に関する情報を記録する領域として使用され、通常、ＯＳではアクセスすることができない領域であることから、この領域（論理アドレス領域外）に記録媒体９の識別情報を書き込むことにより、識別情報自体がコピーされないようにすることができる。
【００３５】
なお、識別情報の具体的な構成は任意であるが、上記したように記録媒体９の論理アドレス領域外にはメーカの名称が予め記録されていることから、このメーカの名称と記録媒体９に対して付与される番号とを識別情報として用いることにより、記録媒体９が正規に作成されたものか否かを簡単かつ確実に識別することができる。
【００３６】
そして、識別情報が書き込まれている記録媒体９にデータを記録するが、画像再生機器ではデータを読み込むことができる記録領域が限定されるため、ステップＳ１０７で、変換された動画データや関連付けファイル等（以下、これらを総称して画像再生機器用データ群と呼ぶ。）を予め設けた書き込み用の所定のフォルダに転送した後、該フォルダから画像再生機器用データ群を読み出して、記録媒体９の論理アドレス領域の内側に記録する。その後、ステップＳ１０８で、コンピュータ機器用のデータの記録を行う前に、画像再生機器で使用可能なデータの領域を区分するために一旦セッションをクローズする。
【００３７】
次に、ステップＳ１０９で、画像データと必要に応じてスライドショープログラムなどのアプリケーションや設定ファイル、情報ファイル、音楽データなど（以下、これらを総称してコンピュータ機器用データ群と呼ぶ。）を予め設けた書き込み用の所定のフォルダに転送した後、該フォルダからコンピュータ機器用データ群を読み出して、記録媒体９に先に記録された画像再生機器用データ群の外側に記録して一連の書き込み処理を終了する。
【００３８】
上記手順で作成された記録媒体９には図１４に示すように各種情報が記録され、ディスク型記録媒体９の最も内側の論理アドレス領域外には、必要に応じて所定の形式（好ましくはファイル形式でないデータ形式）の識別情報が記録され、その外側の論理アドレス領域の内側には、必要に応じて画像再生機器用データ群が記録され、更にその外側には画像データを含むコンピュータ機器データ群が記録される。
【００３９】
また、上記手順で作成された記録媒体９の記録構造は、例えば、図１０に示すようになり、コンピュータ機器用データ群は、”PS_Roll”フォルダ内の画像データ、サムネイル画像データ、スクリーンネイル画像データなどの複数の種別の画像データ（画像データ群）と、記録媒体９に関する各種情報が記録された情報ファイル（info.txt）、”APPL”フォルダ内のスライドショープログラム、スライドショーの設定ファイル、自動起動ファイル（Autorun.inf）などの他のデータ群とで構成され、画像再生機器用データ群は、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで構成される。また、上記情報ファイル（info.txt）には、例えば、記録媒体９の識別情報（記録媒体９の論理アドレス領域外に記録された識別情報と同じであっても異なっていてもよい）や記録媒体９のタイトル、撮影日時情報、記録媒体９に記録されている画像データ群（ロール）の数、各々の画像データ群の識別情報（ロールＩＤ）などが記録される。
【００４０】
上記画像データ群の記録構造は任意であるが、画像データ群をデータ管理装置１０などにバックアップした場合における管理を容易にするために、予め定められたルールに従ってフォルダを構成し、そのフォルダにユニークな名称を付与することが好ましい。例えば、図１０に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、ここではRO030416001_12345601C001）を作成し、各々の要素を、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号などすることもできる。
【００４１】
次に、上記記録装置１で作成された記録媒体９に記録された画像データ群を、管理プログラムで保存、管理される領域に保存する手順について、図８のフローチャート図を参照して説明する。なお、ここでは画像データ群をデータ管理装置１０のハードディスク１１に保存、管理する場合について記載するが、画像データ群を保存、管理する領域は任意であり、データ管理装置１０にネットワーク接続されたホームサーバやｗｅｂサーバなどに保存、管理してもよい。
【００４２】
まず、ステップＳ２０１で、記録媒体９をデータ管理装置１０の記録媒体装填部１４に装填すると、ステップＳ２０２で、入力制御手段１７は、記録媒体９から画像データを読み取る。その際、記録媒体９に記録されている全ての画像データを読み取ってもよいし、記録媒体９に記録されている画像データの一部が既にデータ管理装置１０に記録されている場合は、差分の画像データのみを読み取るようにしてもよい。次に、ステップＳ２０３で、読み出した画像データのファイルが破損していないかなどのファイルチェックを行い、その後、ステップＳ２０４で、記録／削除制御手段１８を用いて、該画像データをハードディスク１１などの記録先に記録する。
【００４３】
上記手順で保存された画像データの記録構造は任意であるが、画像データの管理を容易にするために、記録媒体９に図１０に示すようなデータ構造で画像データが記録されている場合はそのデータ構造を維持して記録されることが好ましい。その場合、ハードディスク１１における画像データの記録構造は図１１に示すようになり、ハードディスク１１の任意の記録位置に、画像データの格納場所を示すフォルダ（PS_Roll）が作成され、その下位の階層には、既に登録済みの画像データが保存、管理されているフォルダ（ROYYMMDDyyy_XXXXXXAABxxx）に加えて、新たに追加された画像データの格納場所を示すフォルダ（ここでは、RO030416001_12345601C001）が作成され、そのフォルダ内にオリジナルの画像データ（OR030416000001.jpg〜OR030416000010.jpg）が格納され、更に、サムネイル画像データの格納場所を示すフォルダ（THM）内にサムネイル画像データ（TH030416000001.jpg〜TH030416000010.jpg）、スクリーンネイル画像データの格納場所を示すフォルダ（SCREEN）内にスクリーンネイル画像データ（SC030416000001.jpg〜SC030416000010.jpg）が格納され、また、記録媒体９に関する各種情報が記録された情報ファイル（info.txt）も格納される。また、PS_Rollフォルダの上位の階層に、移住してきた画像データの格納場所を示すフォルダ（PSYYMMDDyyy_XXXXXXAAB：YYMMDD、yyy、XXXXXX、AA、Bの意味は上記と同様）などを作成してもよい。
【００４４】
次に、ステップＳ２０５で、ハードディスク１１に保存、管理されている画像データを明確にするために、情報ファイルに記述した情報をデータベースとして登録する。このデータベースの内容は特に限定されないが、例えば、アルバム情報が記述されたアルバムテーブル、各々の画像データ群（ロール）の情報が記述されたロールテーブル、各々の画像データの情報が記述されたファイルテーブル、ｅｘｉｆ形式の画像データの情報が記述されたｅｘｉｆテーブルなどで構成することができる。
【００４５】
また、アルバムテーブルは、記録媒体９の識別情報（アルバムＩＤ）、記録媒体９のタイトル（アルバムタイトル）、撮影日時情報、保存された画像データの種別（例えば、オリジナルの画像データが記録されているか、縮小画像データのみが記録されているかなど）を示すアルバムステータス、アルバムがお気に入り登録されているか否かを示すアルバム種、アルバム内の画像データがリンクされているか否かを示すアルバムリンクなどで構成され、ロールテーブルは、アルバムＩＤ、画像データ群（ロール）の識別情報（ロールＩＤ）、ロール内の画像データの数量を示す総画像数、ロールの作成日時情報などで構成され、ファイルテーブルは、ロールＩＤ、ファイル名、フレームナンバー、ファイルの種類、ファイルの保存先、画像が回転されているか否かを示す回転情報、ファイルがリンクされているか否かを示すファイルリンク、オリジナルの画像データがあるか否かを示す保存ステータスなどで構成され、ｅｘｉｆテーブルは、ロールＩＤ、ファイル名撮影日時情報、画像タイトル、画像メモなどで構成される。
【００４６】
次に、上記手順で画像データが保存されたデータ管理装置１０から特定の画像データを削除する手順について、図９のフローチャート図を参照して説明する。
【００４７】
まず、ステップＳ３０１で、画像表示プログラムなどの所定のプログラムを起動すると、ステップＳ３０２で、データ管理装置１０の表示手段１２には図１６に示すような画像表示画面２０が表示される。この画像表示画面２０には、例えば、画像データ群を識別するためのタグ表示欄２１と、記録媒体単位で保存、管理されている画像データに基づく画像が一覧形式で表示される画像表示欄２２と、画像データを用いた処理が選択可能に表示される作業メニュー欄２３などが設けられている。
【００４８】
また、上記タグ表示欄２１には、画像データの記録元の記録手段（記録媒体９）毎に、記録媒体９の識別情報と画像データの撮影年月日などの日時情報とアルバムタイトルなどで構成されるボタンが設けられ、記録媒体９毎に画像データが選択できるように構成されている。また、タグ表示欄２１の下側には、アルバムのタイトルなどを変更するため”アルバムタイトル変更”ボタンや、本発明の特徴である記録媒体９毎に画像データの削除を可能とする”アルバム削除”ボタンが設けられている。また、画像表示欄２２には、記録媒体単位で保存、管理されている画像データに基づく画像を一覧形式で表示するための枠が配列され、その下側には画像の表示形式を変更するための各種ボタンが設けられている。また、作業メニュー欄２３には、画像表示欄２２に表示された画像を用いて新しい記録媒体を作成したり複製するボタンや、画像データをお気に入り登録するボタン、画像データを電子メールで送信するためのボタン、画像を家庭用プリンタや写真店でプリントするためのボタンなどが設けられている。
【００４９】
そして、ステップＳ３０３で、タグ表示欄２１に表示されたボタンを選択して所望の記録媒体９に対応する画像データを表示させた後、ステップＳ３０４で、タグ表示欄２１の”アルバム削除”ボタンを押して削除を指示する。ここで、削除が指示されたら、選択された記録媒体９に対応する全画像データを直ちに削除してもよいが、上述したように他の記録手段にも画像データがバックアップされておりハードディスク１１には縮小画像データのみを保存すればよい場合など、種別毎に削除を希望する場合もある。そこで本実施例では、ステップＳ３０５で、図１７に示すように、画像表示画面２０上に削除する画像データの種別を選択する種別選択画面２４を重ねて表示させている。この種別選択画面２４には記録媒体９単位の画像データ群（アルバム）を削除することを確認するメッセージに加えて、削除する画像データの種別（ここではオリジナルの画像データのみを削除するか、全ての画像データ（オリジナルの画像データ及び縮小画像データ）を削除するかを選択させるためのボタンが表示される。
【００５０】
そして、ステップＳ３０６で、”本画像データのみ削除する”を選択すると、ステップＳ３０７で、ハードディスク１１内に記録されている画像データの内、図１２に示すように、RO030416001_12345601C001フォルダ内のオリジナルの画像データ（OR030416000001.jpg〜OR030416000010.jpg）のみが削除され、THMフォルダ内のサムネイル画像データ（TH030416000001.jpg〜TH030416000010.jpg）及びSCREENフォルダ内のスクリーンネイル画像データ（SC030416000001.jpg〜SC030416000010.jpg）はそのまま保存される。
【００５１】
また、ステップＳ３０６で、”全てを削除する”を選択すると、ステップＳ３０８で、図１３に示すようにRO030416001_12345601C001フォルダ内のオリジナルの画像データ、サムネイル画像データ及びスクリーンネイル画像データの全てがハードディスク１１から削除される。なお、ここでは全ての画像データを削除した後、元の状態に復元したり、特定の種別の画像データのみ復元することを望む場合を考慮して、RO030416001_12345601C001フォルダと情報ファイルを残しているが、フォルダごと削除する構成としてもよい。
【００５２】
そして、例えば”全てを削除する”を選択した場合には、画像表示画面２０のタグ表示欄２１から、画像データを削除した記録媒体９に対応するボタンが消され、”本画像データのみ削除する”を選択した場合には、図１８に示すように、画像表示欄２２の各々の画像の近傍に、オリジナルの画像データが削除されたことを示す情報（ここでは”本画像なし”）が表示される。
【００５３】
その後、ステップＳ３０９で、削除した画像データに関する情報をデータベースに記録してデータベースを更新する。このデータベースは、上記と同様に、アルバム情報が記述されたアルバムテーブル、各々の画像データ群（ロール）の情報が記述されたロールテーブル、各々の画像データの情報が記述されたファイルテーブル、ｅｘｉｆ形式の画像データの情報が記述されたｅｘｉｆテーブルなどで構成することができ、”本画像データのみを削除する”を選択した場合はアルバムテーブルのアルバムステータス、ファイルテーブルの保存ステータスなどを更新し、”全てを削除する”を選択した場合は上記データベースから削除した記録媒体９に関する情報を削除する。
【００５４】
このように、本実施例では、データ管理装置１０のハードディスク１１などの記録先に記録媒体９単位で画像データが保存、管理されている構成において、画像表示画面２０には記録媒体９単位又は種別単位での削除のみが可能なボタンのみが表示され、ユーザはこのボタンを操作することにより所定の単位での削除のみが実行できるため、どの画像データが保存、管理されているかが不明確になることがなく、画像データを確実に保存、管理することができる。
【００５５】
なお、上記説明では、画像表示画面２０に”アルバム削除”ボタンのみを設け、画像データを個別に削除する指示自体ができないようにしたが、第２の実施例に示すような”削除”ボタンを設けて画像データを個別に削除する指示は可能にしておき、タグ表示欄２１で所望の記録媒体９を選択又は画像表示欄２２で画像データを全て選択して”削除”ボタンを押せば削除が許可され、画像表示欄２２で特定の画像データを選択して”削除”ボタンを押せば削除が禁止されるように、記録／削除制御手段１８で許可するか禁止するかを制御する構成としてもよい。
【実施例２】
【００５６】
次に、本発明の第２の実施例に係る管理プログラムについて、図１９乃至図２２を参照して説明する。図１９は、データ管理装置の手段を示すブロック図であり、図２０は、データ管理装置を用いた画像データの削除手順を示すフローチャート図である。また、図２１及び図２２は、データ管理装置の表示手段に表示される画面構成例を示す図である。
【００５７】
前記した第１の実施例では、画像表示画面２０に記録媒体９単位又はその中の種別単位の画像データの削除を指示する”アルバム削除”ボタンのみを設け、個々の画像データの削除ができないように画面を構成したが、個々の画像データが削除されたとしても、削除の履歴が明確であれば、どの画像データが削除されたかが分からなくなることはない。そこで、本実施例では、個々の画像データの削除を可能とする代わりに、個々の画像データを削除する際に、削除の履歴情報を保存して、削除された画像データを識別できるようにしている。
【００５８】
その場合、データ管理装置１０の手段をブロック図で示すと図１９に示すようになり、記録媒体装填部１４に装填された記録媒体９から画像データや識別情報を読み取る入力制御手段１７と、ハードディスク１１などの記録手段に画像データを記録したり、記録手段から画像データを削除する制御を行う記録／削除制御手段１８と、削除に関する履歴情報（削除した画像データを特定するファイル名や該画像データが記録されていた記録場所を特定する情報、削除の日時情報など）を生成する履歴情報生成手段１９と、モニタ等の表示手段１２と、キーボード、マウス等の操作手段１３とで構成される。
【００５９】
なお、本実施例においても、上記各手段はデータ管理装置１０にハードウェアとして構成されていてもよいし、コンピュータを、少なくとも、記録／削除制御手段１８、履歴情報生成手段１９として機能させる管理プログラムとして構成し、該管理プログラムをデータ管理装置１０にインストールして実行する構成としてもよく、また、データ管理装置１０の形態も任意である。
【００６０】
上記構成のデータ管理装置１０を用いて特定の画像データを削除する手順について、図２０のフローチャート図を参照して説明する。
【００６１】
まず、ステップＳ４０１で、画像表示プログラムなどの所定のプログラムを起動すると、ステップＳ４０２で、データ管理装置１０の表示手段には、図２１に示すような画像表示画面２０が表示される。この画像表示画面２０には、第１の実施例と同様に、画像データ群を識別するためのタグ表示欄２１と、記録媒体単位で保存、管理されている画像データに基づく画像が一覧形式で表示される画像表示欄２２と、画像データを用いた処理が選択可能に表示される作業メニュー欄２３などが設けられており、本実施例では、任意の画像データを削除することができるように、”アルバム削除”ボタンに代えて、作業メニュー欄２３に”削除”ボタンが設けられている。
【００６２】
次に、ステップＳ４０３で、タグ表示欄２１の所望の記録媒体９を選択して画像表示欄２２に画像を表示させた後、削除しようとする画像データを選択し（例えば、図２１の網掛け部）、ステップＳ４０４で、作業メニュー欄２３の”削除”ボタンを押して削除を指示すると、ステップＳ４０５で、履歴情報生成手段１９は、選択された画像に対応する画像データを特定する情報（ファイル名など）や該画像データが記録されていた記録場所を特定する情報、日時情報などの履歴情報を生成してハードディスク１１内の情報ファイル（info.txt）などに記述する。
【００６３】
その後、ステップＳ４０６で、記録／削除制御手段１８は、選択された画像データをハードディスク１１から削除する。なお、削除が指示されたら直ちに履歴情報の生成、画像データの削除が実行されるようにしてもよいが、第１の実施例と同様に、削除する画像データの種別を選択させる画面を表示し、ユーザが選択した種別の画像データが削除されるようにしてもよい。そして、オリジナルの画像データが削除され、縮小画像データが保存されている場合は、画像表示欄２２には縮小画像データに基づく画像を表示すると共に、第１の実施例と同様に画像の近傍に、オリジナルの画像データが削除されたことを示す情報（例えば、”本画像なし”）を表示し、また、オリジナルの画像データと縮小画像データの双方が削除された場合は、削除された画像データに基づく画像が表示されていた枠を残し、その枠内に図２２に示すように、該画像データが削除されたことを示す情報（例えば”削除”）を表示する構成としてもよい。
【００６４】
その後、ステップＳ４０７で、情報ファイルに記述した履歴情報をデータベースに記録してデータベースを更新する。このデータベースは、上記と同様に、アルバム情報が記述されたアルバムテーブル、各々の画像データ群（ロール）の情報が記述されたロールテーブル、各々の画像データの情報が記述されたファイルテーブル、ｅｘｉｆ形式の画像データの情報が記述されたｅｘｉｆテーブルなどで構成することができ、本実施例の場合はロールテーブルの総画像数、ファイルテーブルのファイル名などを更新する。
【００６５】
このように、本実施例では、データ管理装置１０のハードディスク１１などの記録先に記録媒体９単位で画像データが保存、管理されている構成において、個々の画像データが削除された場合には、削除に関する履歴情報が保存され、また、該履歴情報に基づいてその画像データが削除されたことが明示されるため、第１の実施例と同様に、どの画像データが保存、管理されているかが不明確になることがなく、画像データを確実に保存、管理することができる。
【００６６】
なお、上記実施例では、管理プログラムにより画像データを管理する場合について記載したが、本発明は上記実施例に限定されるものではなく、管理プログラムにより音楽データやコンテンツなどの他の種類のデータを管理する場合についても同様に適用することができる。
【図面の簡単な説明】
【００６７】
【図１】本発明の第１の実施例に係る記録装置及びデータ管理装置の構成を模式的に示す図である。
【図２】本発明の第１の実施例に係るデータ管理装置の他の構成を示す図である。
【図３】本発明の第１の実施例に係るデータ管理装置の他の構成を示す図である。
【図４】本発明の第１の実施例に係るデータ管理装置の他の構成を示す図である。
【図５】本発明の第１の実施例に係るデータ管理装置の他の構成を示す図である。
【図６】本発明の第１の実施例に係るデータ管理装置の手段を示すブロック図である。
【図７】本発明の第１の実施例に係る記録装置を用いた記録媒体の作成手順を示すフローチャート図である。
【図８】本発明の第１の実施例に係るデータ管理装置を用いた画像データの保存手順を示すフローチャート図である。
【図９】本発明の第１の実施例に係るデータ管理装置を用いた画像データの削除手順を示すフローチャート図である。
【図１０】本発明の第１の実施例の記録媒体におけるデータの記録構造を示す図である。
【図１１】本発明の第１の実施例のデータ管理装置のハードディスクにおけるデータの記録構造を示す図である。
【図１２】本発明の第１の実施例のデータ管理装置のハードディスクにおけるデータの記録構造を示す図である。
【図１３】本発明の第１の実施例のデータ管理装置のハードディスクにおけるデータの記録構造を示す図である。
【図１４】本発明の第１の実施例の記録媒体におけるデータの記録領域を模式的に示す図である。
【図１５】記録媒体（ＣＤ−Ｒ）の構造を模式的に示す図である。
【図１６】本発明の第１の実施例のデータ管理装置の表示手段に表示される画面構成例を示す図である。
【図１７】本発明の第１の実施例のデータ管理装置の表示手段に表示される画面構成例を示す図である。
【図１８】本発明の第１の実施例のデータ管理装置の表示手段に表示される画面構成例を示す図である。
【図１９】本発明の第２の実施例に係るデータ管理装置の手段を示すブロック図である。
【図２０】本発明の第２の実施例に係るデータ管理装置を用いた画像データの削除手順を示すフローチャート図である。
【図２１】本発明の第２の実施例のデータ管理装置の表示手段に表示される画面構成例を示す図である。
【図２２】本発明の第２の実施例のデータ管理装置の表示手段に表示される画面構成例を示す図である。
【符号の説明】
【００６８】
１  記録装置
２  メディア装填部
３  機器接続部
４  記録媒体装填部
５  表示部
６  操作部
７  デジタルカメラ
７ａ  カメラ付き携帯電話機
８  メディア
９  記録媒体
１０  データ管理装置
１１  ハードディスク
１２  表示手段
１３  操作手段
１４  記録媒体装填部
１５  通信ネットワーク
１６  サーバ
１７  入力制御手段
１８  記録制御手段
１９  履歴情報生成手段
２０  画像表示画面
２１  タグ表示欄
２２  画像表示欄
２３  作業メニュー欄
２４  種別選択画面
１００  ポリカーボネート基板
１０１  有機色素層
１０２  反射層
１０３  保護層
【図１】
2005328122.tif 000003
【図２】
2005328122.tif 000004
【図３】
2005328122.tif 000005
【図４】
2005328122.tif 000006
【図５】
2005328122.tif 000007
【図６】
2005328122.tif 000008
【図７】
2005328122.tif 000009
【図８】
2005328122.tif 000010
【図９】
2005328122.tif 000011
【図１０】
2005328122.tif 000012
【図１１】
2005328122.tif 000013
【図１２】
2005328122.tif 000014
【図１３】
2005328122.tif 000015
【図１４】
2005328122.tif 000016
【図１５】
2005328122.tif 000017
【図１６】
2005328122.tif 000018
【図１７】
2005328122.tif 000019
【図１８】
2005328122.tif 000020
【図１９】
2005328122.tif 000021
【図２０】
2005328122.tif 000022
【図２１】
2005328122.tif 000023
【図２２】
2005328122.tif 000024